(57)【特許請求の範囲】
【請求項１】
機体に搭載したエンジンの回転を駆動部に伝達するように構成されると共に、前記機体の前部にバランスウエイトを装着してなる移動農機において、
前記バランスウエイトは、前記機体の左右方向に延びる上縁部と、該上縁部と対向するように該上縁部の下方にて前記機体の左右方向に延びる下縁部と、該下縁部に形成されて前記バランスウエイト全体を前記機体前部に固定するための孔と、前記上縁部と前記下縁部との間で前記機体の左右方向に長くなるように表裏を貫通する貫通穴と、を有し、
前記孔にボルトを挿通して前記下縁部を前記機体前部に固定した状態にて前記上縁部が前記下縁部よりも前記機体の前方に張り出して把持部となるように構成した、
ことを特徴とする移動農機。
【請求項２】
前記バランスウエイトは、前記機体前部への装着状態にて下部両端が前記機体の後方に突出してなる、
請求項１記載の移動農機。
【請求項３】
前記バランスウエイトは、前記上縁部が前記エンジンのフレーム下部面より高い位置になるように前記機体前部に装着されてなる、
請求項１又は２記載の移動農機。
【請求項４】
前記機体前部に前記エンジンの注油口を備え、
前記バランスウエイトは、前記機体前部への装着状態にて前記機体の後方に向く裏面の左右に湾曲面状のガイド溝を備え、かつそれら両ガイド溝の一方が前記注油口に対向してなる、
請求項１ないし３のいずれか記載の移動農機。
【発明の詳細な説明】
【技術分野】
【０００１】
本発明は、耕耘機等の移動農機に係り、詳しくは、バランスウエイトにより機体前後のバランスを調整するようにした移動農機に関する。
【背景技術】
【０００２】
一般に、耕耘機等の移動農機では、機体後部に農作業機を装着して、各種の農作業を行う関係上、重量が重いエンジンを機体前部側に搭載して、主として機体の前後バランスをとるようにしている。しかし、エンジン重量のみで機体前後のバランス等をとろうとすると、エンジンをかなり前方に突出させる必要があり、その場合、機体前後長に支障を来すため、エンジンの直前にバランスウエイトを搭載することにより、機体の前後バランス等を調整するようにしている（特許文献１及び２参照）。
【０００３】
【特許文献１】実公平０４−１５５８７号公報
【特許文献２】特開２００５−１９９９５０号公報
【発明の開示】
【発明が解決しようとする課題】
【０００４】
しかしながら、上記特許文献１及び２に記載されるような移動農機では、バランスウエイトは、機体前後バランス等の調整のみが目的であり、それ以外の機能を期待するものではなかった。
【０００５】
そのため、機体を運搬する場合、機体後側は、後方に延びる走行操作用ハンドルを把持するなどで持ち上げることはできるものの、機体前側は、特に把持するような部位がなく、エンジンフレームを持つなど、持ち上げ姿勢が中腰となり、安定して持ち上げることができず、オペレータが腰等を痛めるような虞もあった。
【０００６】
そこで本発明は、機体の前後バランス等を調整し得るものでありながら、機体を持ち上げる際のオペレータの姿勢を良好にして疲労も少なくし、腰等を痛めるような不都合の発生を防止し得るように構成し、もって上記課題を解決した移動農機を提供することを目的とするものである。
【課題を解決するための手段】
【０００７】
請求項１に係る本発明は（例えば図１ないし図５参照）、機体（１２）に搭載したエンジン（１３）の回転を駆動部（例えば１０，３０）に伝達するように構成されると共に、前記機体（１２）の前部にバランスウエイト（３）を装着してなる移動農機において、
前記バランスウエイト（３）は、前記機体（１２）の左右方向に延びる上縁部（３ｂ）と、該上縁部（３ｂ）と対向するように該上縁部（３ｂ）の下方にて前記機体（１２）の左右方向に延びる下縁部（３ｎ）と、該下縁部（３ｎ）に形成されて前記バランスウエイト（３）全体を前記機体（１２）前部に固定するための孔（３ｄ，３ｅ，３ｆ）と、前記上縁部（３ｂ）と前記下縁部（３ｎ）との間で前記機体（１２）の左右方向に長くなるように表裏を貫通する貫通穴（３ａ）と、を有し、
前記孔（３ｄ，３ｅ，３ｆ）にボルト（４）を挿通して前記下縁部（３ｎ）を前記機体（１２）前部に固定した状態にて前記上縁部（３ｂ）が前記下縁部（３ｎ）よりも前記機体（１２）の前方に張り出して把持部となるように構成した、
ことを特徴とする移動農機（１）にある。
【０００８】
請求項２に係る本発明は（例えば図１ないし図５参照）、前記バランスウエイト（３）が、前記機体（１２）前部への装着状態にて下部両端（３ｃ，３ｃ）が前記機体（１２）の後方に突出してなる、
請求項１記載の移動農機（１）にある。
【０００９】
請求項３に係る本発明は（例えば図１ないし図５参照）、前記バランスウエイト（３）は、前記上縁部（３ｂ）が前記エンジン（１３）のフレーム下部面（１３ａ）より高い位置になるように前記機体前部に装着されてなる、
請求項１又は２記載の移動農機（１）にある。
【００１０】
請求項４に係る本発明は（例えば図１ないし図５参照）、前記機体（１２）前部に前記エンジン（１３）の注油口（４）を備え、
前記バランスウエイト（３）は、前記機体前部への装着状態にて前記機体（１２）の後方に向く裏面の左右に湾曲面状のガイド溝（３ｉ，３ｊ）を備え、かつそれら両ガイド溝（３ｉ，３ｊ）の一方が前記注油口（４）に対向してなる、
請求項１ないし３のいずれか記載の移動農機（１）にある。
【００１１】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１２】
請求項１に係る本発明によると、下縁部を機体前部に固定した状態で該下縁部よりも機体前方に張り出して把持部となる上縁部をバランスウエイトに備えたので、機体の前後バランス等を良好に調整できるものでありながら、溝等にはまった機体を移動させたり梱包から取り出したりするような場合に、バランスウエイトの貫通穴から指を入れて上縁部（把持部）を安定した形で把持し、無理のない姿勢で容易に機体の運搬を行うことができるようになる。
【００１３】
請求項２に係る本発明によると、機体前部への装着状態にてバランスウエイトの下部両端が機体後方に突出しているので、機体に対するロープ掛け等が行い易くなり、機体運搬時の作業がより簡便になる。
【００１４】
請求項３に係る本発明によると、バランスウエイトは上縁部がエンジンのフレーム下部面より高い位置になるように機体前部に装着されるので、バランスウエイトの上縁部を把持して機体を運搬する際の作業を、より無理のない姿勢で行うことができる。
【００１５】
請求項４に係る本発明によると、バランスウエイトのガイド溝の一方が注油口に対向してなるので、バランスウエイトが注油口近傍にあるにも拘わらず、ガイド溝の存在により、注油口への注油作業を支障なく行うことができる。また、ガイド溝が、貫通穴に挿入したロープを機体前方向に引く際のロープ位置決めの働きもするので、機体運搬時等の作業を一層効率的に進めることができる。
【発明を実施するための最良の形態】
【００１６】
以下、図面に沿って、本発明に係る実施の形態について説明する。なお、図１は本発明に係る移動農機を適用し得る耕耘機の側面図、図２は耕耘機を斜め後方から見た斜視図、図３は耕耘機の正面図である。
【００１７】
図１ないし図３に示すように、耕耘機（移動農機）１は、走行部（駆動部）１０と耕耘部（駆動部）３０とが一体に構成されている。走行部１０は、左右で一対の走行車輪１１に支持された機体１２上に、エンジン１３及び変速伝動部（図示せず）が配置され、エンジン１３上に燃料タンク１４が支持されている。また、機体１２の後部には、変速伝動部を変速操作する変速レバー１７と、機体１２の走行方向を操作するハンドル１８が配置されている。
【００１８】
耕耘部３０は、機体１２に回転可能に支持された耕耘軸３１と、該耕耘軸３１に固定され、圃場を耕す耕耘爪３２と、該耕耘爪３２の上部を覆う耕耘カバー３３とを有し、耕耘爪３２は、変速伝動部を介して伝動されるエンジン１３の出力により回転駆動される。
【００１９】
機体１２には、給油口を含む上部が一部露出するように燃料タンク１４を覆うタンクカバー２０と、変速レバー１７の操作経路を案内するガイド溝２１とエンジン１３の排気の減圧消音を行うマフラー（図示せず）が位置する側に排気用のスリット２２が形成された変速ガイドパネル２３と、上記マフラーを覆うマフラーカバー２５が配置されている。
【００２０】
相対向するタンクカバー２０の後端部２０ａと変速ガイドパネル２３の先端部２３ａは、それぞれ機体１２の上方及び後方から見て略々連続するように互に沿うように形成されている。また、互に対向するタンクカバー２０の側面の下端部２０ｂとマフラーカバー２５の上面２５ａは、側面視、互に沿うように形成されると共に、互に対向する変速ガイドパネル２３の側面先端部２３ｂとマフラ−カバー２５の後端部２５bも互に沿うように形成されている。
【００２１】
また、図１に示すように、走行部１０における機体１２の前部にはウエイト装着部２が設けられている。このウエイト装着部２には、図３に示すように、バランスウエイト３がボルト４によって固定されている。
【００２２】
次に、図４及び図５に沿ってバランスウエイト３の構造を詳細に説明する。なお、図４はバランスウエイト３を示す図であり、（ａ）はバランスウエイト３を上方から見た状態で示す平面図、（ｂ）はバランスウエイト３を機体前方から見た状態で示す正面図である。また、図５はバランスウエイト３を示す図であり、（ａ）はバランスウエイト３を機体後方から見た状態で示す背面図、（ｂ）はバランスウエイト３を側方から見た状態で示す側面図である。
【００２３】
バランスウエイト３は、図３及び図４（ｂ）に示すように、機体前部のウエイト装着部２への固定状態において全体として略々矩形状を呈しており、中央部分に、上縁部３ｂが把持部となるように図の左右方向に長くなるように表裏を貫通して形成された貫通穴３ａを有している。バランスウエイト３は、貫通穴３ａを挟んで上縁部３ｂと対向する下縁部３ｎを有しており、この下縁部３ｎには、ウエイト装着部２の前端部に形成された３つの雌ねじ孔（図示せず）に螺合させるボルト４をそれぞれ挿通するための孔３ｄ，３ｅ，３ｆが形成されている。孔３ｄ及び孔３ｆに対応する部位には、それぞれ凹部３ｇ，３ｈが形成されている。このようなバランスウエイト３は、上縁部３ｂがエンジン１３のフレーム下部面１３ａ（図１参照）より高い位置になるように、ウエイト装着部２に装着される。
【００２４】
また、バランスウエイト３は、図３に示すウエイト装着部２への装着状態にて、下部両端３ｃ，３ｃが機体１２の後方に角状に突出するように形成されている（図４(a)及び図５(a),(b)も併せて参照）。バランスウエイト３後面におけるウエイト装着部２前端部と対向する部位には、下部両端３ｃ，３ｃから後退して、ウエイト装着部２前端部に対し位置決めし易い形状にされた凹部３ｋが形成されている。
【００２５】
更に、バランスウエイト３は、上縁部３ｂにおける貫通穴３ａ両端に対応する位置に、機体前方から機体後方に向かって傾斜する湾曲面状に形成されたガイド溝３ｉ，３ｊを有している。つまり、バランスウエイト３は、機体前部にあるウエイト装着部２への装着状態にて機体１２の後方に向く裏面の左右に、上記ガイド溝３ｉ，３ｊを備えている。機体１２の前部には、図１に示すように、エンジン１３下部に注油口４が備えられており、上記ガイド溝３ｉ，３ｊの一方３ｉが、注油口４に手が入りやすいように該注油口４に対向している。なお、上縁部３ｂにおけるガイド溝３ｉ，３ｊの更に外側には、機体後方に突出する突部３ｍ，３ｍが形成されている。
【００２６】
上記構成を有する本耕耘機１を用いた作業に際し、オペレータは、エンジン１３をスタートさせ、ハンドル１８を握り、変速レバー１７を操作し、耕耘爪３２を回転させつつ走行車輪１１を駆動して圃場を低速走行する耕耘機１を、後部で保持しながら歩行する。耕耘機１は、このような走行中は勿論、停止中においても、機体１２前部に装着したバランスウエイト３により、機体１２の前後バランス等が良好に調整されている。
【００２７】
上記耕耘機１では、機体１２前部のウエイト装着部２に装着されたバランスウエイト３が、上縁部３ｂを把持部とするように表裏貫通した貫通穴３ａを有するので、機体前後バランス等を良好に調整できるものでありながら、例えば、機体１２が溝等にはまった際に移動させたり、機体１２を梱包から取り出したりするような場合に、貫通穴３ａから指を入れて上縁部３ｂを安定した形で把持し、無理のない姿勢で容易に機体１２を運搬することができる。
【００２８】
また、上記耕耘機１では、機体前部のウエイト装着部２への装着状態にて、バランスウエイト３の下部両端３ｃ，３ｃが機体後方に突出しているので、機体１２に対するロープ掛け等が行い易くなり、機体運搬時の作業がより簡便になる。更に、バランスウエイト３における上縁部３ｂが、エンジン１３のフレーム下部面１３ａより高い位置になるように、機体前部のウエイト装着部２に装着されるので、バランスウエイト３の上縁部３ｂを把持して機体１２を運搬する際の作業が、より無理のない姿勢で行い得るようになる。
【００２９】
そして、バランスウエイト３のガイド溝３ｉが注油口４に対向しているので、バランスウエイト３が注油口４近傍にあるにも拘わらず、ガイド溝３ｉの存在により、注油口４への注油作業が支障なく行われる。また、ガイド溝３ｉ，３ｊが、貫通穴３ａに挿入したロープ（図示せず）を機体１２前方向に引く際のロープ位置決めの働きもするので、機体運搬時等の作業が一層効率的に進められる。
【図面の簡単な説明】
【００３０】
【図１】本発明に係る移動農機を適用し得る耕耘機の側面図である。
【図２】耕耘機を斜め後方から見た斜視図である。
【図３】耕耘機の正面図である。
【図４】バランスウエイトを示す図であり、（ａ）はバランスウエイトを上方から見た状態で示す平面図、（ｂ）はバランスウエイトを機体前方から見た状態で示す正面図である。
【図５】バランスウエイトを示す図であり、（ａ）はバランスウエイトを機体後方から見た状態で示す背面図、（ｂ）はバランスウエイトを側方から見た状態で示す側面図である。
【符号の説明】
【００３１】
１    移動農機（耕耘機）
３    バランスウエイト
３ａ    貫通穴
３ｂ    上縁部
３ｃ，３ｃ    下部両端
３ｉ，３ｊ    湾曲面状のガイド溝
４    注油口
１０，３０    駆動部（走行部、耕耘部）
１２    機体
１３    エンジン
１３ａ    フレーム下部面
【図１】
0004512552.tif 000002
【図２】
0004512552.tif 000003
【図３】
0004512552.tif 000004
【図４】
0004512552.tif 000005
【図５】
0004512552.tif 000006